(57)【要約】【課題】複数の水栓に優先順位及び優先情報を設定することにより、水栓の要求熱量が給湯器の給湯能力の余力を超えた場合であっても、使用快適性を確保することができる給湯システムを提供する。【解決手段】給湯システム１は、給湯器１０、複数の水栓、制御部３０、及び設定部２７を備える。設定部２７は、各水栓の優先順位並びに各水栓の温度優先及び流量優先の少なくとも一方を含む優先情報を設定する。制御部３０は、水栓優先順位の順に各水栓の要求熱量を算出する算出手段３１と、各水栓の要求熱量が給湯器１０の給湯能力の余力を超えるかの判定処理を行う判定手段３２と、各指示を行う指示手段３３とを有する。給湯能力の余力を超えたと判定した場合に、指示手段３３は、水栓の優先情報に基づいて出湯させ、且つ優先順位が当該水栓以下の水栓に全て流量優先で出湯させることを指示する。【選択図】図１
2016223691.tif 000002
【特許請求の範囲】
【請求項１】
熱源を有する給湯器と、
配管を介して前記給湯器と連通した複数の水栓と、
前記給湯器及び前記複数の水栓を制御する制御部と、
各水栓の優先順位、並びに、各水栓に対して温度優先及び流量優先の少なくとも一方を含む優先情報を設定する設定部と、
を少なくとも備え、
前記制御部は、
前記設定部で設定した優先順位の順に、水栓の設定温度及び設定流量に基づいて水栓の要求熱量を算出する算出手段と、
前記算出手段で算出した水栓の要求熱量が前記給湯器の給湯能力の余力を超えるか否かの判定処理を行う判定手段と、
前記判定手段が水栓の要求熱量が前記給湯器の給湯能力の余力を超えていないと判定した場合には、当該水栓にその設定温度及び設定流量で出湯させることを指示し、一方、前記給湯器の給湯能力の余力を超えたと判定した場合には、前記設定部で設定した当該水栓の優先情報に基づいて出湯させ、且つ優先順位が当該水栓以下の水栓に全て流量優先で出湯させることを指示する指示手段と、を有することを特徴とする給湯システム。
【請求項２】
熱源を有する給湯器と、
配管を介して前記給湯器と連通した複数の水栓と、
前記給湯器及び前記複数の水栓を制御する制御部と、
各水栓の優先順位、並びに、各水栓に対して温度優先及び流量優先の少なくとも一方を含む優先情報を設定する設定部と、
を少なくとも備え、
前記制御部は、
前記設定部で設定した優先順位および優先情報に基づいて決定された判定順位の順に、水栓の設定温度及び設定流量に基づいて水栓の要求熱量を算出する算出手段と、
前記算出手段で算出した水栓の要求熱量が前記給湯器の給湯能力の余力を超えるか否かの判定処理を行う判定手段と、
前記判定手段が水栓の要求熱量が前記給湯器の給湯能力の余力を超えていないと判定した場合には、当該水栓にその設定温度及び設定流量で出湯させることを指示し、一方、前記給湯器の給湯能力の余力を超えたと判定した場合には、前記設定部で設定した当該水栓の優先情報に基づいて出湯させ、且つ優先順位が当該水栓以下の水栓に全て流量優先で出湯させることを指示する指示手段と、を有することを特徴とする給湯システム。
【請求項３】
請求項１又は２に記載の給湯システムであって、
前記設定部は水栓毎に設けられていることを特徴とする給湯システム。
【請求項４】
請求項３に記載の給湯システムであって、
前記設定部は、各水栓と一体的に形成されていることを特徴とする給湯システム。
【請求項５】
熱源を有する給湯器と、配管を介して前記給湯器と連通した複数の水栓と、前記給湯器及び前記複数の水栓を制御する制御部と、を少なくとも備える給湯システムであって、
前記制御部は、
使用される前記複数の水栓の設定流量合計値に基づき、その設定流量合計値を出湯するための必要給湯流量を算出する算出手段と、
前記算出手段で算出した必要給湯流量が前記給湯器の給湯流量を超えるか否かの判定を行う判定手段と、
前記判定手段が必要給湯流量が前記給湯器の給湯流量を超えていないと判定した場合には、各水栓にそれぞれの設定流量で出湯させることを指示し、一方、必要給湯流量が前記給湯器の給湯流量を超えたと判定した場合には、前記給湯器の設定最高温度の限度内で前記給湯器の設定温度を上げることを指示する指示手段とを有することを特徴とする給湯システム。
【請求項６】
請求項１〜５のいずれか一項に記載の給湯システムであって、
前記制御部と通信可能に接続される移動通信端末を更に備えることを特徴とする給湯システム。
【請求項７】
請求項６に記載の給湯システムであって、
前記移動通信端末は、スマートフォン、携帯電話、タブレット端末、携帯型のパーソナルコンピュータのいずれかであることを特徴とする給湯システム。
【発明の詳細な説明】
【技術分野】
【０００１】
本発明は、給湯器と、給湯器に連通した複数の水栓と、給湯器及び複数の水栓を制御する制御部とを備える給湯システムに関する。
【背景技術】
【０００２】
従来、このような分野の技術として、例えば下記特許文献に記載されるものがある。特許文献１では、給湯器と、給湯器の下流に設けた湯水混合部と、湯水混合部に連通した複数の水栓と、水栓の出湯温度を設定するリモコンとを備える給湯システムが開示されている。この給湯システムでは、給湯器の給湯最高温度を水栓の利用可能最高温度のうちの最も高い温度以上に設定することで、浴室や台所等の複数の場所において同時にお湯を使用する場合でも、異なる温度のお湯を使用できるようにし、使い勝手を良くしている。
【０００３】
また、特許文献２では、給湯器と、配管を介して給湯器と連通した複数の水栓と、各水栓の出湯を検出するセンサとを備える給湯システムが開示されている。この給湯システムでは、センサの検出情報に基づき、給湯器の給湯温度を水栓の設定温度より高く設定することで、配管放熱による温度低下の影響を抑制できるようにし、使用快適性の向上を図っている。
【先行技術文献】
【特許文献】
【０００４】
【特許文献１】特開２００３−８３６０３号公報
【特許文献２】特開２０１４−１８９１号公報
【発明の概要】
【発明が解決しようとする課題】
【０００５】
しかしながら、上述の給湯システムでは、いずれも水栓の出湯温度を優先させているため、水栓の要求熱量が給湯器の給湯能力の余力を超えた場合に、各水栓の流量が一律に低下してしまい、使用感が損なわれる。その結果、使用快適性を確保し難い問題があった。
【０００６】
本発明は、上記の点に鑑みてなされたものであり、複数の水栓に優先順位及び優先情報を設定することにより、水栓の要求熱量が給湯器の給湯能力の余力を超えた場合であっても、使用快適性を確保することができるようにした給湯システムを提供することを目的とする。
【課題を解決するための手段】
【０００７】
上記課題を解決する本発明の給湯システムは、熱源を有する給湯器と、配管を介して前記給湯器と連通した複数の水栓と、前記給湯器及び前記複数の水栓を制御する制御部と、各水栓の優先順位、並びに、各水栓に対して温度優先及び流量優先の少なくとも一方を含む優先情報を設定する設定部と、を少なくとも備え、前記制御部は、前記設定部で設定した優先順位の順に、水栓の設定温度及び設定流量に基づいて水栓の要求熱量を算出する算出手段と、前記算出手段で算出した水栓の要求熱量が前記給湯器の給湯能力の余力を超えるか否かの判定処理を行う判定手段と、前記判定手段が水栓の要求熱量が前記給湯器の給湯能力の余力を超えていないと判定した場合には、当該水栓にその設定温度及び設定流量で出湯させることを指示し、一方、前記給湯器の給湯能力の余力を超えたと判定した場合には、前記設定部で設定した当該水栓の優先情報に基づいて出湯させ、且つ優先順位が当該水栓以下の水栓に全て流量優先で出湯させることを指示する指示手段と、を有することを特徴とする。
【０００８】
本発明に係る給湯システムでは、各水栓の優先順位、並びに各水栓に対して温度優先及び流量優先の少なくとも一方を含む優先情報を設定する設定部を備えるので、使用者が自らの意向に沿って水栓の優先順位及び優先情報を設定することができる。例えば、入浴時の快適性を最も保ちたいときに、浴室の水栓の優先順位を最も高く設定することで、その使用快適性を確保することが可能である。
【０００９】
また、制御部の算出手段は、設定した水栓の優先順位の順に、各水栓の設定温度及び設定流量に基づいて要求熱量を算出し、判定手段は算出された水栓の要求熱量が給湯器の給湯能力の余力を超えるか否かの判定処理を行う。そして、判定手段が水栓の要求熱量が給湯能力の余力を超えていないと判定した場合には、指示手段は当該水栓にその設定温度及び設定流量で出湯させることを指示する。これによって、使用者に設定通りの温度及び流量の湯水を与えることが可能となり、使用者に満足感を与え、使用快適性を保つことができる。
【００１０】
一方、判定手段が水栓の要求熱量が給湯能力の余力を超えたと判定した場合には、指示手段は、設定した当該水栓の優先情報に基づいて出湯させ、且つ優先順位が当該水栓以下の水栓に全て流量優先で出湯させることを指示する。すなわち、給湯器の給湯能力の余力を超えた場合に、指示手段は、優先順位の高い水栓に対してその優先情報に沿う出湯を維持しつつ、優先順位が当該水栓以下の水栓に全て流量優先で出湯させる。このようにすることで、水栓の要求熱量が給湯能力の余力を超えた場合であっても、従来のように各水栓の流量が一律に低下することなく、その流量低下による使い勝手の悪化を防止することができ、使用快適性を確実に確保することができる。
【００１１】
また、本発明に係る給湯システムは、熱源を有する給湯器と、配管を介して前記給湯器と連通した複数の水栓と、前記給湯器及び前記複数の水栓を制御する制御部と、各水栓の優先順位、並びに、各水栓に対して温度優先及び流量優先の少なくとも一方を含む優先情報を設定する設定部と、を少なくとも備え、前記制御部は、前記設定部で設定した優先順位および優先情報に基づいて決定された判定順位の順に、水栓の設定温度及び設定流量に基づいて水栓の要求熱量を算出する算出手段と、前記算出手段で算出した水栓の要求熱量が前記給湯器の給湯能力の余力を超えるか否かの判定処理を行う判定手段と、前記判定手段が水栓の要求熱量が前記給湯器の給湯能力の余力を超えていないと判定した場合には、当該水栓にその設定温度及び設定流量で出湯させることを指示し、一方、前記給湯器の給湯能力の余力を超えたと判定した場合には、前記設定部で設定した当該水栓の優先情報に基づいて出湯させ、且つ優先順位が当該水栓以下の水栓に全て流量優先で出湯させることを指示する指示手段と、を有することを特徴とする。
【００１２】
本発明に係る給湯システムでは、算出手段は、設定した優先順位および優先情報に基づいて決定された判定順位の順に、各水栓の設定温度及び設定流量に基づいて要求熱量を算出し、判定手段は算出された水栓の要求熱量が給湯器の給湯能力の余力を超えるか否かの判定処理を行う。このため、使用者の細かいニーズに対応することができ、使用者に満足感を与え、使用快適性を保つことができる。
【００１３】
また、水栓の要求熱量が給湯能力の余力を超えたと判定した場合には、指示手段は、設定した当該水栓の優先情報に基づいて出湯させ、且つ優先順位が当該水栓以下の水栓に全て流量優先で出湯させることを指示する。このようにすれば、水栓の要求熱量が給湯能力の余力を超えた場合であっても、従来のように各水栓の流量が一律に低下することなく、その流量低下による使い勝手の悪化を防止することができ、使用快適性を確実に確保することができる。
【００１４】
本発明に係る給湯システムにおいて、前記設定部は水栓毎に設けられていることが好適である。このようにすれば、水栓の設置場所でその水栓に関する優先順位及び優先情報を設定することができるので、設定作業を容易に行える。
【００１５】
本発明に係る給湯システムにおいて、前記設定部は、各水栓と一体的に形成されていることが好適である。このようにすれば、水栓と設定部が別々形成される場合と比べて、設置場所を小さくすることができるとともに設置コストを削減することができ、更に美観性の向上を図ることができる。
【００１６】
また、本発明に係る給湯システムは、熱源を有する給湯器と、配管を介して前記給湯器と連通した複数の水栓と、前記給湯器及び前記複数の水栓を制御する制御部と、を少なくとも備える給湯システムであって、前記制御部は、使用される前記複数の水栓の設定流量合計値に基づき、その設定流量合計値を出湯するための必要給湯流量を算出する算出手段と、前記算出手段で算出した必要給湯流量が前記給湯器の給湯流量を超えるか否かの判定を行う判定手段と、前記判定手段が必要給湯流量が前記給湯器の給湯流量を超えていないと判定した場合には、各水栓にそれぞれの設定流量で出湯させることを指示し、一方、必要給湯流量が前記給湯器の給湯流量を超えたと判定した場合には、前記給湯器の設定最高温度の限度内で前記給湯器の設定温度を上げることを指示する指示手段とを有することを特徴とする。
【００１７】
従来の給湯システムでは、各水栓での設定温度と給湯器の設定温度が近い場合、給湯器から供給されるお湯を水と混合せずにそのまま水栓から出湯することになるため、水栓の設定流量合計値を出湯するための必要給湯流量が大きくなる。しかし、給湯流量（給湯器から供給される湯量）が大きくなると、給湯システムの圧力損失が大きくなるのを避けられないため、各水栓の流量が一律に低下し、使用快適性を損なう問題が発生する。それに対し、本発明に係る給湯システムでは、水栓の設定流量合計値を出湯するための必要給湯流量が判定用に予め定めてある給湯器の給湯流量を超えたと判定した場合には、指示手段は、給湯器の設定最高温度の限度内で給湯器の設定温度を上げることを指示する。これによって、水栓の設定流量合計値を出湯するための必要給湯流量を小さくすることができ、給湯システムの圧力損失の影響を小さくできる。したがって、各水栓から出湯する流量を使用者の望む設定流量に近づけることができるため、使用快適性を確保することができる。
【００１８】
本発明に係る給湯システムにおいて、前記制御部と通信可能に接続される移動通信端末を更に備え、前記移動通信端末は、スマートフォン、携帯電話、タブレット端末、携帯型のパーソナルコンピュータのいずれかであることが好適である。このようにすれば、外出先においても水栓の使用状況を確認することができ、仮に水栓の閉め忘れがあった場合、遠隔操作でその水栓を閉めることができる。また、この移動通信端末が設定部として機能するようにした場合には、離れた位置で全ての水栓の設定を行うことができる。
【発明の効果】
【００１９】
本発明によれば、複数の水栓に優先順位及び優先情報を設定することにより、水栓の要求熱量が給湯器の給湯能力の余力を超えた場合であっても、使用快適性を確保することができる。
【図面の簡単な説明】
【００２０】
【図１】第１実施形態に係る給湯システムの構成を示す模式図である。
【図２】電子式サーモ水栓の概要を示す斜視図である。
【図３】各水栓の優先順位及び優先情報を示す図である。
【図４】第１実施形態に係る給湯システムの制御処理を示すフローチャートである。
【図５】第２実施形態に係る給湯システムの制御処理を示すフローチャートである。
【図６】第３実施形態に係る給湯システムの制御処理を示すフローチャートである。
【図７】第４実施形態に係る給湯システムの制御処理を示すフローチャートである。
【図８】第５実施形態に係る給湯システムの構成を示す模式図である。
【発明を実施するための形態】
【００２１】
以下、図面を参照して本発明に係る給湯システムの実施形態について説明する。図面の説明において同一の要素には同一符号を付し、重複説明は省略する。また、下記の実施形態において、給湯器から供給されるお湯を「給湯」と称し、水栓から供給される湯水を「出湯」と称する。
【００２２】
＜第１実施形態＞
図１は第１実施形態に係る給湯システムの構成を示す模式図である。この給湯システム１は、基本的に、ガスバーナ（熱源）１２を有する給湯器１０と、前記給湯器１０へ給水する給水配管４０と、給湯配管５０を介して前記給湯器１０と連通した複数（ここでは、３つ）の水栓２０Ａ，２０Ｂ，２０Ｃと、前記給湯器１０及び水栓２０Ａ，２０Ｂ，２０Ｃを含む給湯システム１全体の制御を行う制御部３０とを備えている。
【００２３】
給湯器１０は、従来知られたものであってよく、気−液型熱交換器１１と、前記気−液型熱交換器１１に高温燃焼ガスを供与するガスバーナ１２と有し、給水は、給水配管４０と連通した上流側配管１３を通って気−液型熱交換器１１に送られ、そこでガスバーナ１２の燃焼ガスと熱交換して加熱されてお湯となる。そのお湯は、下流側配管１４及び当該下流側配管１４と連通した給湯配管５０を通って、前記水栓２０Ａ，２０Ｂ，２０Ｃ側に送られる。上流側配管１３には、給水の温度を検出する給水温度センサ４１が設けられている。この給水温度センサ４１は、検出した情報を制御部３０に送信する。
【００２４】
上流側配管１３と下流側配管１４は、流量調整弁１５を備えたバイパス配管１６によって連通している。下流側配管１４における前記バイパス配管１６との連通部より下流側には、給湯流量センサ１７と給湯温度センサ１８と流量調整弁１９が設けられている。給湯流量センサ１７はその検出情報を制御部３０に送信し、制御部３０は送信された流量の検出情報に基づいてガスバーナ１２の燃焼制御を行う。給湯温度センサ１８は検出した検出情報を制御部３０に送信し、制御部３０は送信された温度の検出情報に基づいて流量調整弁１５、１９の開度を適宜制御し、給水配管４０からの給水量が変動した場合にも、所定温度のお湯が水栓２０Ａ，２０Ｂ，２０Ｃ側に流れるよう制御する。なお、給湯器１０における上記した構成及び作動は通常の給湯器と同じである。
【００２５】
水栓２０Ａ，２０Ｂ，２０Ｃは、それぞれ台所、浴室、洗面所に設置されている。図１に示すように、これらの水栓２０Ａ，２０Ｂ，２０Ｃは、給湯配管５０と給水配管６０との間に並列に配置され、それぞれ給湯支管５０ａ，５０ｂ，５０ｃを介して給湯配管５０と連通し、給水支管６０ａ，６０ｂ，６０ｃを介して給水配管６０と連通している。なお、水栓２０Ａ、２０Ｂ及び２０Ｃは同様な構造を有するため、以下においては水栓２０Ａを例に挙げて説明する。
【００２６】
水栓２０Ａは、電子式サーモ水栓であり、モータ２６の駆動によって開閉自在な湯水混合弁２１と、湯水を吐出するための吐水口２２と、湯水の流量を調整する流量調整弁２３と、出湯の流量を検出する出湯流量センサ２４と、出湯の温度を検出する出湯温度センサ２５と、出湯を開始または終了させるための出湯操作を行う出湯操作部３４とを有する。
【００２７】
湯水混合弁２１は、給湯支管５０ａ及び給水支管６０ａに接続され、その開度の調整によって、給湯支管５０ａから供給されるお湯と給水支管６０ａから供給される水との混合比率を変更し、それにより異なる温度の湯水を作ることが可能である。出湯流量センサ２４と出湯温度センサ２５は、それぞれ検出した検出情報を制御部３０に送信する。制御部３０は、送信された各検出情報に基づいて、流量調整弁２３の開度とモータ２６の駆動とを制御する。
【００２８】
水栓２０Ａは、出湯の流量及び温度等を設定するための設定部２７を更に有している。図２は電子式サーモ水栓の概要を示す斜視図である。図２に示すように、設定部２７は、一定の厚さを有する平板状に形成され、その一端は本体２８に固定され、他端は自由端であって流し台２９まで延伸している。設定部２７の他端には、上述の吐水口２２が設けられている。本体２８の中には、上述した湯水混合弁２１、流量調整弁２３、出湯流量センサ２４、出湯温度センサ２５及びモータ２６等が収納されている。この設定部２７は、吐水口２２及び本体２８と一体的に形成されており、水栓毎に設けられている。出湯操作部３４は、押しボタン式であり、本体２８の上端に設けられている。出湯していない状態で使用者が押しボタンを押すと出湯が開始され、もう一度押すと出湯が終了する。なお、出湯操作部３４は吐水口２２の近傍に設けた人体検知センサであってもよい。
【００２９】
設定部２７は、出湯の温度及び流量を設定する第１設定部２７ａと、水栓の優先順位を設定する第２設定部２７ｂと、温度優先及び流量優先の少なくとも一方を含む優先情報を設定する第３設定部２７ｃとを有するように構成されている。第１設定部２７ａは、表示部と操作ボタンからなり、使用者は、表示部に表示された内容を見ながら操作ボタンを操作することで、所望の温度と流量を設定することができる。
【００３０】
第２設定部２７ｂには、１〜６の数字を表示する６つの押しボタンが配置されている。使用者は、これらの押しボタンを操作することで、水栓２０Ａの優先順位を設定することが可能である。具体的には、例えば、台所の水栓２０Ａ、浴室の水栓２０Ｂ及び洗面所の水栓２０Ｃをこの順で優先順位を付けたい場合には、台所の水栓２０Ａで「１」の押しボタン、浴室の水栓２０Ｂで「２」の押しボタン、洗面所の水栓２０Ｃで「３」の押しボタンをそれぞれ押せば、その優先順位が設定される。
【００３１】
本実施形態では、優先順位を設定できる水栓は６箇所までとしたが、これは一般家庭で使用される水栓の数を考慮したものであり、必要に応じて優先順位を設定できる水栓の数を適宜に増減しても構わない。また、ここで、優先順位とは複数の水栓のうち、設定した流量（設定流量）及び設定した温度（設定温度）で出湯させる水栓の優先度合を指している。
【００３２】
水栓２０Ａ，２０Ｂ，２０Ｃは、使用中において、その設定された優先順位の数字が点灯するように設計されている。具体的には、図２に示すように、台所の水栓２０Ａが使用中の場合には、優先順位として設定された数字「１」が点灯している。一方、数字「２」が消灯しているので、優先順位２として設定された浴室の水栓２０Ｂが使用されていないことを示している。また、数字「３」が点灯しているので、優先順位３として設定された洗面所の水栓２０Ｃが使用されていることを示している。このようにすることで、一つの水栓で他の複数の水栓の使用状況を把握することができるので、他の水栓の閉め忘れ等を防止する効果を奏する。
【００３３】
第３設定部２７ｃは、ボタン操作で「温度優先」、「流量優先」といった優先情報を設定できるように構成されている。図２に示すように、台所の水栓２０Ａに関しては、「温度優先」と設定されたため、第３設定部２７ｃの表示部に「温度優先」と表示されている。
【００３４】
また、第３設定部２７ｃの表示部は、設定された優先情報及び最優先事項を表示できるほか、水栓２０Ａ，２０Ｂ，２０Ｃ又は給湯器１０に関するエラーコードも表示できるように設計されてもよい。このようにすれば、使用者が第３設定部２７ｃの表示部に表示されるエラーコードで水栓又は給湯器の異常を容易に把握することができ、メンテナンスの効率の向上を図ることができる。
【００３５】
制御部３０は、例えばＣＰＵ、ＲＯＭ、ＲＡＭを含むコンピュータを主体として構成されており、給湯システム１全体の制御を行っている。この制御部３０は、算出手段３１と、判定手段３２と、指示手段３３とを備えている。算出手段３１は、給湯システム１全体に関する各算出処理を実行する手段である。例えば、この算出手段３１は、設定された水栓２０Ａ,２０Ｂ,２０Ｃの優先順位の順に、各水栓の設定温度及び設定流量と、給水温度センサ４１による給水温度の検出情報に基づいて各水栓の要求熱量を算出する。また、この算出手段３１は、後述する給湯器１０の給湯能力の余力の算出、使用される水栓２０Ａ,２０Ｂ,２０Ｃの設定流量の合計値の算出、使用される水栓２０Ａ,２０Ｂ,２０Ｃの設定流量合計値を出湯するための必要給湯流量の算出も行う。
【００３６】
判定手段３２は、給湯システム１全体に関する各判定処理を実行する手段である。例えば、判定手段３２は、算出手段３１で算出した水栓２０Ａ,２０Ｂ,２０Ｃの要求熱量が給湯器１０の給湯能力の余力を超えるか否かの判定処理を行う。ここで、給湯能力の余力とは、給湯器１０の給湯能力から判定処理が実行された水栓の要求熱量を差し引いて、なお余っている能力のことを指している。従って、水栓２０Ａ,２０Ｂ,２０Ｃに関する判定処理前であれば、給湯能力の余力はイコール給湯器１０の給湯能力である。そして、台所の水栓２０Ａに関する判定処理が実行された場合には、給湯能力の余力は給湯能力から水栓２０Ａの要求熱量を差し引いた後の能力になる。また、この判定手段３２は、使用される水栓２０Ａ,２０Ｂ,２０Ｃの設定流量合計値を出湯するための必要給湯流量が給湯器１０の給湯流量を超えるか否かの判定処理も行う。給湯器１０の給湯流量とは、例えば、１６号給湯器であれば１６リットル毎分、２４号給湯器であれば２４リットル毎分等のように、判定用の値として予め定められる給湯流量のことである。
【００３７】
指示手段３３は、給湯システム１全体に関する各指示処理を実行する手段である。例えば、指示手段３３は、判定手段３２の判定結果に基づいて水栓２０Ａ，２０Ｂ，２０Ｃへの各指示を行う。より具体的には、判定手段３２が水栓２０Ａ,２０Ｂ,２０Ｃの要求熱量が給湯器１０の給湯能力の余力を超えていないと判定した場合には、指示手段３３は、各水栓にその設定温度及び設定流量で出湯させることを指示する。一方、給湯器１０の給湯能力の余力を超えたと判定した場合には、指示手段３３は、第３設定部２７ｃで設定したその水栓の優先情報に基づいて当該水栓に出湯させ、且つ優先順位が当該水栓以下の水栓に全て流量優先で出湯させることを指示する。
【００３８】
また、判定手段３２が使用される水栓２０Ａ,２０Ｂ,２０Ｃの設定流量合計値を出湯するための必要給湯流量が給湯器１０の給湯流量を超えていないと判定した場合には、指示手段３３は、各水栓２０Ａ,２０Ｂ,２０Ｃにそれぞれの設定流量で出湯させることを指示する。一方、判定手段３２が必要給湯流量が給湯器１０の給湯流量を超えたと判定した場合には、指示手段３３は、給湯器１０の設定最高温度の限度内で給湯器１０の設定温度を上げることを指示する。
【００３９】
以下、図３及び図４を参照して上述の給湯システム１の制御処理を説明する。図３は水栓２０Ａ，２０Ｂ，２０Ｃの優先順位及び優先情報を示す図である。本実施形態では、台所の水栓２０Ａ、浴室の水栓２０Ｂ及び洗面所の水栓２０Ｃの優先順位が台所、浴室、洗面所の順であるので、水栓２０Ａの優先順位Ｎｏ．は「１」、水栓２０Ｂの優先順位は「２」、水栓２０Ｃは「３」と設定されている。また、優先情報としては、台所の水栓２０Ａは「温度優先」、浴室の水栓２０Ｂは「温度優先」とそれぞれ設定されている。
【００４０】
図４は第１実施形態に係る給湯システムの制御処理を示すフローチャートである。本実施形態及びこれ以降の実施形態において、使用者による新たな出湯操作があったときに制御処理をスタートする。また、出湯を開始させるための出湯操作があってから出湯を終了させるための出湯操作を受けるまでの間、その水栓は出湯要求を受けているということになる。初めに、Ｓ１０の処理では、算出手段３１は、未処理水栓で水栓優先順位Ｎｏ．が最小の水栓を選択する。ここで、未処理水栓とは出湯要求を受けており、且つこの制御処理が新たにスタートしてから判定処理が未だ行われていない水栓のことを指している。台所の水栓２０Ａ、浴室の水栓２０Ｂ及び洗面所の水栓２０Ｃが全て未処理水栓の場合、算出手段３１は優先順位Ｎｏ．が最小の水栓、すなわち台所の水栓２０Ａを選択する。
【００４１】
Ｓ１０の処理に続くＳ１１の処理では、水栓の要求熱量の算出が行われる。このとき、算出手段３１は、Ｓ１０の処理で選択した水栓２０Ａに対し、その設定温度及び設定流量のデータを取得し、更にその取得したデータをもとに水栓２０Ａの要求熱量を算出する。
【００４２】
Ｓ１１の処理に続くＳ１２の処理では、水栓の要求熱量が給湯能力の余力を超えるか否かの判定が行われる。このとき、判定手段３２は、算出手段３１で算出した水栓２０Ａの要求熱量の結果を取得し、取得した結果と給湯器１０の給湯能力の余力との比較を行い、判定処理を行う。
【００４３】
水栓２０Ａの要求熱量が給湯能力の余力（ここでは、給湯器１０の給湯能力）を超えていないと判定した場合には、制御処理がＳ１３に進む。Ｓ１３の処理では、指示手段３３は、水栓２０Ａに設定温度及び設定流量で出湯させることを指示する。水栓２０Ａは、指示手段３３からの指示を受け、設定温度及び設定流量の通りで湯水を吐出する。
【００４４】
Ｓ１３の処理を終えたら、制御処理がＳ１０に戻る。このとき、水栓優先順位Ｎｏ．が最小である水栓２０Ａの制御処理を終えたため、水栓２０Ａは未処理水栓から除外されることになる。従って、算出手段３１は、優先順位Ｎｏ．が「２」である浴室の水栓２０Ｂを選択し、水栓２０Ｂの要求熱量を算出する。更に、水栓２０Ｂに対して水栓要求熱量が給湯器１０の給湯能力の余力を超えるか否かの判定処理（Ｓ１２）では、このときの給湯能力の余力は、給湯器１０の給湯能力から台所の水栓２０Ａの要求熱量を差し引いた後の能力である。
【００４５】
一方、Ｓ１２の処理で水栓２０Ａの要求熱量が給湯能力の余力を超えたと判定した場合には、制御処理がＳ１４に進む。Ｓ１４の処理では、判定手段３２は、温度優先であるか否かを判定する。そして、温度優先であると判定した場合には、制御処理がＳ１５に進む。Ｓ１５の処理では、指示手段３３はその水栓に設定温度で出湯させることを指示する。そして、水栓は、指示手段３３からの指示を受け、設定された温度で湯水を吐出する。このとき、出湯の流量は成り行き状態になる。
【００４６】
Ｓ１５の処理に続くＳ１６の処理では、指示手段３３は、制御処理中の水栓以降の未処理水栓（すなわち、優先順位が制御処理中の水栓以下の水栓）に対して、全て流量優先で出湯させることを指示する。
【００４７】
一方、Ｓ１４の処理で温度優先でないと判定した場合には、制御処理がＳ１７に進み、指示手段３３は、その水栓に設定流量で出湯させることを指示する。そして、水栓は指示手段３３からの指示を受け、設定された流量で湯水を吐出する。このとき、出湯の温度は成り行き状態になる。Ｓ１７の処理を終えたら、制御処理がＳ１６に進み、指示手段３３は、優先順位が制御処理中の水栓以下の水栓に対して、全て流量優先で出湯させることを指示する。Ｓ１６の処理を終えたら、一連の制御処理を終了する。
【００４８】
以上の構成を有する給湯システム１では、各水栓２０Ａ，２０Ｂ，２０Ｃの温度、流量、優先順位、温度優先及び流量優先の一方を含む優先情報を設定する設定部２７を備えるので、使用者が自らの意向に沿って水栓２０Ａ，２０Ｂ，２０Ｃの温度、流量、優先順位及び優先情報を設定することができる。例えば、入浴時の快適性を最も保ちたいときに、所望の温度及び流量を設定することに加えて、浴室の水栓２０Ｂの優先順位を最も高く設定することで、その使用快適性を確保することが可能である。
【００４９】
また、制御部３０の算出手段３１は、設定された水栓２０Ａ，２０Ｂ，２０Ｃの優先順位の順に、各水栓の設定温度及び設定流量に基づいて要求熱量を算出し、判定手段３２は算出された水栓の要求熱量が給湯器１０の給湯能力の余力を超えるか否かの判定処理を行う。そして、判定手段３２が水栓の要求熱量が給湯能力の余力を超えていないと判定した場合には、指示手段３３は当該水栓にその設定温度及び設定流量で出湯させることを指示する。これによって、使用者に設定通りの温度及び流量の湯水を与えることが可能となり、使用者に満足感を与え、使用快適性を保つことができる。
【００５０】
一方、判定手段３２が水栓の要求熱量が給湯能力の余力を超えたと判定した場合には、指示手段３３は、設定した当該水栓の優先情報に基づいて出湯させ、且つ優先順位が当該水栓以下の水栓に全て流量優先で出湯させることを指示する。すなわち、給湯器１０の給湯能力の余力を超えた場合に、指示手段３３は、優先順位の高い水栓に対してその優先情報に沿う出湯を維持しつつ、優先順位が当該水栓以下の水栓に全て流量優先で出湯させる。このようにすることで、水栓２０Ａ，２０Ｂ，２０Ｃの要求熱量が給湯器１０の給湯能力の余力を超えた場合であっても、従来のように各水栓の流量が一律に低下することなく、その流量低下による使い勝手の悪化を防止することができ、使用快適性を確実に確保することができる。
【００５１】
更に、設定部２７は水栓毎に設けられているので、水栓２０Ａ，２０Ｂ，２０Ｃの設置場所でその水栓に関する優先順位及び優先情報を設定することができ、設定作業を容易に行える。しかも、設定部２７は各水栓と一体的に形成されているので、水栓と設定部が別々形成される場合と比べて、設置場所を小さくすることができるとともに設置コストを削減することができ、更に美観性の向上を図ることができる。
【００５２】
＜第２実施形態＞
以下、図５を参照して第２実施形態に係る給湯システムの制御処理を説明する。本実施形態では、各水栓の優先情報として温度優先と流量優先の双方を設定することができる点が第１実施形態と異なる。初めに、Ｓ２０の処理では、算出手段３１は、未処理水栓で水栓優先順位Ｎｏ．が最小の水栓を選択する。例えば、台所の水栓２０Ａ、浴室の水栓２０Ｂ及び洗面所の水栓２０Ｃが全て未処理水栓の場合、算出手段３１はそのうちの優先順位Ｎｏ．が最小の水栓を選択する。
【００５３】
Ｓ２０の処理に続くＳ２１の処理では、水栓の要求熱量の算出が行われる。このとき、算出手段３１は、Ｓ２０の処理で選択した水栓に対してその設定温度及び設定流量のデータを取得し、更に取得したデータをもとに水栓の要求熱量を算出する。
【００５４】
Ｓ２１の処理に続くＳ２２の処理では、水栓の要求熱量が給湯能力の余力を超えるか否かの判定が行われる。このとき、判定手段３２は、算出手段３１で算出した水栓の要求熱量の結果を取得し、取得した結果と給湯器１０の給湯能力の余力との比較を行い、判定処理を行う。
【００５５】
水栓の要求熱量が給湯能力の余力を超えていないと判定した場合には、制御処理がＳ２３に進む。Ｓ２３の処理では、指示手段３３は、水栓に設定温度及び設定流量で出湯させることを指示する。Ｓ２３の処理を終えたら、制御処理がＳ２０に戻る。
【００５６】
一方、Ｓ２２の処理で水栓の要求熱量が給湯能力の余力を超えたと判定した場合には、制御処理がＳ２４に進む。Ｓ２４の処理では、判定手段３２は、温度優先と流量優先の双方が設定されているか否かを判定する。温度優先と流量優先の双方が設定されていないと判定した場合には、制御処理がＳ２５に進む。Ｓ２５の処理では、判定手段３２は、更に流量優先であるか否かの判定を行う。
【００５７】
流量優先であると判定した場合には、制御処理がＳ２６に進む。Ｓ２６の処理では、指示手段３３は、水栓に設定流量で出湯させることを指示する。そして、指示手段３３からの指示を受けた水栓は、設定された流量で吐水する。このとき、出湯の温度は成り行き状態になる。Ｓ２６の処理に続くＳ２７の処理では、指示手段３３は、制御処理中の水栓以降の未処理水栓に対して、全て流量優先で出湯させることを指示する。
【００５８】
一方、Ｓ２５の処理で流量優先でないと判定した場合には、制御処理がＳ２８に進み、Ｓ２８の処理では、指示手段３３は水栓に設定温度で出湯させることを指示する。そして、指示手段３３からの指示を受けた水栓は、設定された温度で湯水を吐出する。このとき、出湯の流量は成り行き状態になる。Ｓ２８の処理を終えたら、制御処理がＳ２７に進む。
【００５９】
上述のＳ２４の処理で温度優先と流量優先の双方が設定されていると判定した場合には、制御処理がＳ２９に進む。Ｓ２９の処理では、設定流量で出湯した場合の出湯温度が設定温度−２℃以上であるか否かの判定が行われる。このとき、まず、算出手段３１は、給湯能力の余力、設定流量及び設定温度等のデータに基づいて、設定流量で出湯し且つ温度を成り行き状態とした場合の出湯温度（以下、設定流量で出湯した場合の出湯温度という）を算出するとともに、設定温度から２℃を差し引いた値（以下、設定温度−２℃という）を算出する。次に、判定手段３２は、設定流量で出湯した場合の出湯温度が設定温度−２℃以上であるか否かを判定する。
【００６０】
設定流量で出湯した場合の出湯温度が設定温度−２℃以上である（設定温度−２℃よりも高くなる）と判定した場合には、制御処理がＳ２６に進み、指示手段３３は、水栓に設定流量で出湯させることを指示する。このとき、温度は成り行き状態となるが、設定温度との差は２℃以内に収まっているため、使用快適性に大きな影響を与えない。一方、設定流量で出湯した場合の出湯温度が設定温度−２℃以上でない（設定温度−２℃よりも低くなる）と判定した場合には、制御処理がＳ３０に進む。Ｓ３０処理では、指示手段３３は、水栓に設定温度より２℃下げた温度で出湯させることを指示する。そして、指示手段３３からの指示を受けた水栓は、設定温度より２℃下げた温度で湯水を吐出する。このとき、流量は成り行き状態となる。
【００６１】
Ｓ３０の処理を終えたら、制御処理がＳ２７に進み、以降の未処理水栓に対し全て流量優先で出湯させることが行われる。Ｓ２７の処理を終えたら、一連の制御処理を終了する。
【００６２】
本実施形態によれば、第１実施形態と同様に、水栓の要求熱量が給湯器１０の給湯能力の余力を超えた場合であっても、従来のように各水栓の流量が一律に低下することなく、その流量低下による使い勝手の悪化を防止することができ、使用快適性を確保できる効果を得られる。更に、温度優先と流量優先の双方が設定される場合に対応でき、使用快適性をより確実に確保することができる。
【００６３】
なお、本実施形態のＳ２９の処理において、出湯温度を設定温度から−２℃以上とする例を挙げて説明したが、これに限らず、許容温度は適宜設定可能である。また、Ｓ２９の処理の判定基準は一例に過ぎず、温度と流量の双方を調整するものであればよい。更に、温度優先と流量優先の双方を設定したうえで、最優先事項として温度優先又は流量優先を設定できるようにし、それに応じた制御を追加してもよい。
【００６４】
＜第３実施形態＞
以下、図６を参照して第３実施形態に係る給湯システムの制御処理を説明する。本実施形態では、各水栓の優先情報として温度優先と流量優先の双方を設定することができ、さらに最優先事項として温度優先又は流量優先を設定できる。また、それらの優先情報と優先順位に基づいて判定順位を決定する点が第１実施形態及び第２実施形態と異なる。初めに、Ｓ４０の処理では、判定手段３２は、温度優先と流量優先の双方が設定されている未処理水栓があるかを判定する。温度優先と流量優先の双方が設定されている未処理水栓があると判定した場合には、制御処理がＳ４１に進む。Ｓ４１の処理では、算出手段３１は、温度優先と流量優先の双方が設定されている未処理水栓のうち、水栓優先順位Ｎｏ．が最小の水栓を選択する。
【００６５】
Ｓ４１の処理に続くＳ４２の処理では、水栓の要求熱量の算出が行われる。このとき、算出手段３１は、Ｓ４１の処理で選択した水栓に対してその設定温度及び設定流量のデータを取得し、更に取得したデータをもとに水栓の要求熱量を算出する。
【００６６】
Ｓ４２の処理に続くＳ４３の処理では、水栓の要求熱量が給湯能力の余力を超えるか否かの判定が行われる。このとき、判定手段３２は、算出手段３１で算出した水栓の要求熱量の結果を取得し、取得した結果と給湯器１０の給湯能力の余力との比較を行い、判定処理を行う。
【００６７】
水栓の要求熱量が給湯能力の余力を超えていないと判定した場合には、制御処理がＳ４４に進む。Ｓ４４の処理では、指示手段３３は、水栓に設定温度及び設定流量で出湯させることを指示する。Ｓ４４の処理を終えたら、制御処理がＳ４０に戻る。一方、Ｓ４３の処理で水栓の要求熱量が給湯能力の余力を超えたと判定した場合には、制御処理がＳ４５に進む。
【００６８】
Ｓ４５の処理では、判定手段３２は温度優先が最優先事項であるか否かの判定を行う。温度優先が最優先事項であると判定した場合には、制御処理がＳ４６に進み、指示手段３３は水栓に設定温度で出湯させることを指示する。そして、指示手段３３からの指示を受けた水栓は、設定された温度で湯水を吐出する。このとき、出湯の流量は成り行き状態になる。Ｓ４６の処理に続くＳ４７の処理では、指示手段３３は、制御処理中の水栓以降の未処理水栓に対して、全て流量優先で出湯させることを指示する。
【００６９】
一方、Ｓ４５の処理で温度優先が最優先事項でないと判定した場合には、制御処理がＳ４８に進み、指示手段３３は水栓に設定流量で出湯させることを指示する。そして、指示手段３３からの指示を受けた水栓は、設定された流量で湯水を吐出する。このとき、出湯の温度は成り行き状態になる。Ｓ４８を終えたら、制御処理がＳ４７に進む。
【００７０】
上述のＳ４０の処理で温度優先と流量優先の双方が設定されている未処理水栓がないと判定した場合には、制御処理がＳ４９に進む。Ｓ４９の処理では、判定手段３２は温度優先が設定されている未処理水栓があるかを判定する。そして、温度優先が設定されている未処理水栓がないと判定した場合には、制御処理がＳ４７に進む。従って、指示手段３３は、以降の未処理水栓に対し、全て流量優先で出湯させることを指示する。
【００７１】
一方、Ｓ４９の処理で温度優先が設定されている未処理水栓があると判定した場合には、制御処理がＳ５０に進む。Ｓ５０の処理では、算出手段３１は、温度優先が設定されている未処理水栓のうち、水栓優先順位Ｎｏ．が最小の水栓を選択する。Ｓ５０の処理に続くＳ５１の処理では、水栓の要求熱量の算出が行われる。このとき、算出手段３１は、Ｓ５０の処理で選択した水栓に対してその設定温度及び設定流量のデータを取得し、更に取得したデータをもとに水栓の要求熱量を算出する。
【００７２】
Ｓ５１の処理に続くＳ５２の処理では、水栓の要求熱量が給湯能力の余力を超えるか否かの判定が行われる。このとき、判定手段３２は、算出手段３１で算出した水栓の要求熱量の結果を取得し、取得した結果と給湯器１０の給湯能力の余力との比較を行い、判定処理を行う。水栓の要求熱量が給湯能力の余力を超えていないと判定した場合には、制御処理がＳ５３に進み、指示手段３３は、水栓に設定温度及び設定流量で出湯させることを指示する。Ｓ５３の処理を終えたら、制御処理がＳ４９に戻る。
【００７３】
一方、Ｓ５２の処理で水栓の要求熱量が給湯能力の余力を超えたと判定した場合には、制御処理がＳ５４に進む。Ｓ５４の処理では、指示手段３３は水栓に設定温度で出湯させることを指示する。Ｓ５４の処理を終えたら、制御処理がＳ４７に進む。このとき、各水栓の出湯の流量は成り行き状態となる。そして、Ｓ４７の処理を終えたら、一連の制御処理を終了する。
【００７４】
本実施形態によれば、第１実施形態と同様に、水栓の要求熱量が給湯器１０の給湯能力の余力を超えた場合であっても、従来のように各水栓の流量が一律に低下することなく、その流量低下による使い勝手の悪化を防止することができ、使用快適性を確保できる効果を得られる。更に、算出手段３１は、設定した優先情報および優先順位に基づいて決定された判定順位の順に、各水栓の設定温度及び設定流量に基づいて要求熱量を算出し、判定手段３２は、水栓の要求熱量が給湯器の給湯能力の余力を超えるか否かの判定処理、及び最優先事項であるか否かの判定処理を行う。従って、使用者の細かいニーズに対応することができ、使用者に満足感を与え、使用快適性を確実に保つことができる。
【００７５】
＜第４実施形態＞
以下、図７を参照して第４実施形態に係る給湯システムの制御処理を説明する。初めに、Ｓ６０の処理では、算出手段３１は使用水栓の設定流量合計値を出湯するための必要給湯流量を算出する。例えば、算出手段３１は、まず、全ての水栓２０Ａ，２０Ｂ，２０Ｃのうち、使用されている水栓（出湯要求を受けている水栓）のみを選択する。従って、出湯していない水栓（出湯要求を受けていない水栓）は除外される。本実施形態では、水栓２０Ａ，２０Ｂ，２０Ｃは全て使用されているので、これらの水栓は全て選択される。次に、算出手段３１は、選択した各水栓の設定流量のデータを取得し、それらの合計値を算出する。続いて、算出手段３１は、算出した設定流量合計値に基づいて、その設定流量合計値を出湯するための必要給湯流量を算出する。
【００７６】
Ｓ６０の処理に続くＳ６１の処理では、必要給湯流量が給湯器１０の給湯流量を超えるか否かの判定が行われる。このとき、判定手段３２は、Ｓ６０の処理で算出した必要給湯流量を取得し、必要給湯流量が給湯器１０の給湯流量を超えるかを判定する。そして、必要給湯流量が給湯器１０の給湯流量を超えていないと判定した場合には、制御処理がＳ６２に進み、指示手段３３は、各水栓２０Ａ，２０Ｂ，２０Ｃにそれぞれの設定流量で出湯させることを指示する。Ｓ６２の処理を終えたら、制御処理がＳ６０に戻る。
【００７７】
一方、Ｓ６１の処理で必要給湯流量が給湯器１０の給湯流量を超えたと判定した場合には、制御処理がＳ６３に進む。Ｓ６３の処理では、判定手段３２は、更に給湯器１０の設定温度が最高であるか否かの判定を行う。そして、給湯器１０の設定温度が最高でないと判定した場合には、制御処理がＳ６４に進み、指示手段３３は給湯器１０に設定温度を１℃上げることを指示する。給湯器１０は、指示手段３３の指示を受けてその設定温度を１℃上げる。Ｓ６４の処理を終えたら、制御処理がＳ６０に戻る。
【００７８】
一方、Ｓ６３の処理で給湯器１０の設定温度が最高であると判定した場合には、制御処理がＳ６５に進み、指示手段３３は、給湯器１０に設定温度をそのまま維持することを指示する。このとき、各水栓の出湯の流量が成り行き状態になる。そして、Ｓ６５の処理を終えたら、一連の制御処理を終了する。
【００７９】
本実施形態では、判定手段３２が水栓２０Ａ，２０Ｂ，２０Ｃの設定流量合計値を出湯するための必要給湯流量が給湯器１０の給湯流量を超えたと判定した場合には、指示手段３３は、給湯器１０の設定最高温度の限度内で給湯器１０の設定温度を上げることを指示する。これによって、設定流量合計値を出湯するための必要給湯流量を小さくすることができる。その結果、水栓２０Ａ，２０Ｂ，２０Ｃで同時にお湯を使用する場合であっても、各水栓の設定流量により近い流量を出湯することができ、使用快適性を確保することができる。
【００８０】
＜第５実施形態＞
以下、図８を参照して第５実施形態に係る給湯システム２を説明する。本実施形態に係る給湯システム２と第１実施形態との相違点は、給湯システム２が更に制御部３０と通信可能なスマートフォン（移動通信端末）８０を備えることである。以下、その相違点を中心に説明する。
【００８１】
具体的には、制御部３０は、サーバ装置７０との間に送受信できる通信手段（図示せず）を更に有する。制御部３０は、この通信手段を介して給湯器１０の運転状況及び水栓２０Ａ,２０Ｂ,２０Ｃの使用状況に関する情報等を適宜にサーバ装置７０に送信し、サーバ装置７０からの指示を受信している。また、給湯システム２は、サーバ装置７０を介して制御部３０と通信可能に接続されるスマートフォン８０を更に備えている。
【００８２】
このような構成を有する給湯システム２は、第１実施形態と同様な作用効果を得られるほか、制御部３０と通信可能に接続されるスマートフォン８０を更に備えるため、外出先においてもスマートフォン８０で水栓２０Ａ,２０Ｂ,２０Ｃの使用状況等を確認したり、水栓２０Ａ,２０Ｂ,２０Ｃを遠隔操作したりすることが可能になる。例えば、使用１回当たりの最大使用流量を設定して、水栓の閉操作なしに前記最大流量を超えた場合にはスマートフォン８０に警報を送付し、使用者がスマートフォン８０で水栓の閉め忘れを確認した場合に、サーバ装置７０を介し制御部３０に指令を送信することによりその水栓を閉めることができる。また、スマートフォン８０が設定部として機能するようにした場合には、スマートフォン８０で離れた位置で全ての水栓の設定を行うことができる。その結果、給湯システム２の使いやすさを更に高めることができる。なお、移動通信端末としては、上述したスマートフォン８０のほか、携帯電話、タブレット端末、携帯型のパーソナルコンピュータのいずれかであってもよい。
【００８３】
以上、本発明の実施形態について詳述したが、本発明は、上述の実施形態に限定されるものではなく、特許請求の範囲に記載された本発明の精神を逸脱しない範囲で、種々の設計変更を行うことができるものである。例えば、優先の概念は上記に限定することなく、適宜周知の制御方法を用いればよい。
【００８４】
更に、温度優先と流量優先の設定は手動で行っても良いが、例えば全自動洗濯機等向けの制御として、洗剤による洗濯モード時には温度優先とすると共に、洗濯時に使用した湯量を記憶し、濯ぎモード時にも温度優先を維持する一方、濯ぎに使用する湯量が前記記憶値を超えて使用され続ける場合には、ため濯ぎではなく注水濯ぎであるものとして温度優先から流量優先に切り替え、所定時間洗以内に再度湯の使用がある場合には引き続き濯ぎが行われている（２回目の濯ぎが行われている）ものとして流量優先を維持し、所定時間を超えても湯の使用がない場合には洗濯が終了したものとして、温度優先に戻すというように、温度優先と流量優先の設定を自動で切換えても良い。このような自動切換の設定を、全自動洗濯機用や食器洗浄機用など複数持つようにしても良い。
【００８５】
更に、温度設定として給水温度も選択可能（給湯器１０がＯＦＦでも操作可能、又は湯全閉可能）とすれば、止水機能（水栓閉機能）を生かして、庭木散水用として用いることもできる。特に第５実施形態のようスマートフォン８０で指示できるようにした場合には、外出先から天気を確認して散水の指示ができ、雨の日であっても散水指示を自動実行してしまう自動水やり器（タイマー散水器）の不具合を解消できる。
【００８６】
また、上述の実施形態では、給湯器１０の熱源としてはガスバーナ１２を挙げて説明したが、電気式の熱源を用いてもよい。また、上述の実施形態において、水栓２０Ａ，２０Ｂ，２０Ｃに関する温度、流量、優先順位、優先情報及び最優先事項の設定は各水栓の設定部２７で行われるものとしたが、水栓とは別に設けられた設定部で行われてもよいし、制御部３０で設定できるようにしてもよい。更に、上述の実施形態では、水栓２０Ａ，２０Ｂ，２０Ｃに関する温度、流量、優先順位、優先情報及び最優先事項の設定はその水栓の設定部２７でしか行えないものとしたが、一の水栓の設定部で自水栓の設定を含めて他水栓の設定も行えるようにしてもよい。
【符号の説明】
【００８７】
１，２    給湯システム
１０    給湯器
１１    気−液型熱交換器
１２    ガスバーナ
１３    上流側配管
１４    下流側配管
１５，１９，２３    流量調整弁
１６    バイパス配管
１７    給湯流量センサ
１８    給湯温度センサ
２０Ａ，２０Ｂ，２０Ｃ    水栓
２１    湯水混合弁
２２    吐水口
２４    出湯流量センサ
２５    出湯温度センサ
２６    モータ
２７    設定部
２７ａ    第１設定部
２７ｂ    第２設定部
２７ｃ    第３設定部
２８    本体
３０    制御部
３１    算出手段
３２    判定手段
３３    指示手段
３４    出湯操作部
４０，６０    給水配管
４１    給水温度センサ
５０    給湯配管
７０    サーバ装置
８０    スマートフォン
【図１】
2016223691.tif 000003
【図２】
2016223691.tif 000004
【図３】
2016223691.tif 000005
【図４】
2016223691.tif 000006
【図５】
2016223691.tif 000007
【図６】
2016223691.tif 000008
【図７】
2016223691.tif 000009
【図８】
2016223691.tif 000010